(57)【特許請求の範囲】
【請求項１】
ダウンリンクリソースの割り当てを受け取り、そしてｌを整数とすれば、ｌ枚のレイヤ上でその割り当てられたダウンリンクリソースをデータについて監視するステップと；
各々割り当てられて監視されるダウンリンクリソースごとにデータが受け取られたという確認又は受け取られないという否定確認である確認用ビットを発生するステップと；
その割り当てられたダウンリンクリソースのパターンに基づいて、少なくとも、ダウンリンクリソースを第１モードでバンドリングする第１アルゴリズム及びダウンリンクリソースを第２モードでバンドリングする第２アルゴリズムの中から選択を行うステップと；
第１又は第２の各モードに基づいてバンドリングされたダウンリンクリソースに対応する前記発生された確認用ビットに対して前記選択された第１又は第２アルゴリズムを使用して、ｌ個の応答ビットを発生するステップと；
その発生されたｌ個の応答ビットを送信するステップと；
を備え、
前記第１アルゴリズムは、ｌ枚のレイヤの各々に基づいてダウンリンクリソースをバンドリングして、各ｌ番目の応答ビットがｌ番目のレイヤのみにおけるリソースに特有のものであるようにし、そして前記第２アルゴリズムは、ｌ枚のレイヤ全部にわたるサブフレームのグループにおけるダウンリンクリソースをバンドリングして、各ｌ番目の応答ビットが、ｌ枚のレイヤ全部に及ぶｌ番目のサブフレームグループ内のリソースに特有のものであるようにする方法。
【請求項２】
ｌ＝２枚のレイヤがあり、前記選択は、第１アルゴリズムと第２アルゴリズムとの間のみで行う、請求項１に記載の方法。
【請求項３】
前記選択は、更に、前記割り当てられたダウンリンクリソースが時間的にどれほど相関しているかを表す変化基準に基づく、請求項１又は２に記載の方法。
【請求項４】
前記変化基準は、前記割り当てられたダウンリンクリソースが、第１アルゴリズム又は第２アルゴリズムのいずれかで定義されたバンドリングウインドウ内に少なくともオーバーラップする物理的リソースブロックを含むかどうかである、請求項３に記載の方法。
【請求項５】
前記変化基準は、前記割り当てられたダウンリンクリソースの全てがバンドリングウインドウ内の同じ物理的リソースブロックであるかどうかである、請求項３に記載の方法。
【請求項６】
ｌ個の応答ビットの各々及び確認用ビットの各々は、データが受け取られたという確認又は受け取られないという否定確認であり、前記第１アルゴリズムは、ｌ番目のレイヤ当たり全ての割り当てられたリソースに対する全てのリソース特有確認及び否定確認の論理的ＡＮＤ演算を含み、そして前記第２アルゴリズムは、ｌ番目のサブフレームグループ当たり全てのｌ枚のレイヤにわたる全ての割り当てられたリソースに対する全てのリソース特有確認及び否定確認の論理的ＡＮＤ演算を含む、請求項１又は２に記載の方法。
【請求項７】
ワイヤレス通信ネットワークのユーザ装置により実行されるもので、前記割り当ては、ネットワークノードから受け取られ、そして前記発生された応答ビットは、ネットワークノードへ送信される、請求項６に記載の方法。
【請求項８】
ダウンリンクリソースの割り当てを受け取り、そしてｌを整数とすれば、ｌ枚のレイヤ上でその割り当てられたダウンリンクリソースをデータについて監視するように構成された少なくとも１つの受信器と；
各々割り当てられて監視されるダウンリンクリソースごとにデータが受け取られたという確認又は受け取られないという否定確認である確認用ビットを発生するように構成された少なくとも１つのプロセッサであって、更に、少なくとも、ダウンリンクリソースを第１モードでバンドリングする第１アルゴリズム及びダウンリンクリソースを第２モードでバンドリングする第２アルゴリズムの中から、前記割り当てられたダウンリンクリソースのパターンに基づいて選択を行うように構成され、更に、第１又は第２の各モードに基づいてバンドリングされたダウンリンクリソースに対応する前記発生された確認用ビットに対して前記選択された第１又は第２アルゴリズムを使用して、ｌ個の応答ビットを発生するように構成された少なくとも１つのプロセッサと；
前記発生されたｌ個の応答ビットを送信するように構成された少なくとも１つの送信器と；
を備え、
前記第１アルゴリズムは、ｌ枚のレイヤの各々に基づいてダウンリンクリソースをバンドリングして、各ｌ番目の応答ビットがｌ番目のレイヤのみにおけるリソースに特有のものであるようにし、そして前記第２アルゴリズムは、ｌ枚のレイヤ全部にわたるサブフレームのグループにおけるダウンリンクリソースをバンドリングして、各ｌ番目の応答ビットが、ｌ枚のレイヤ全部に及ぶｌ番目のサブフレームグループ内のリソースに特有のものであるようにする装置。
【請求項９】
ｌ＝２枚のレイヤがあり、前記少なくとも１つのプロセッサは、第１アルゴリズムと第２アルゴリズムとの間のみで選択を行うように構成された、請求項８に記載の装置。
【請求項１０】
前記少なくとも１つのプロセッサは、前記割り当てられたダウンリンクリソースが時間的にどれほど相関しているかを表す変化基準に更に基づいて、少なくとも第１アルゴリズムと第２アルゴリズムとの間で選択を行うよう構成された、請求項８から９のいずれかに記載の装置。
【請求項１１】
前記変化基準は、前記割り当てられたダウンリンクリソースが、第１アルゴリズム又は第２アルゴリズムのいずれかで定義されたバンドリングウインドウ内に少なくともオーバーラップする物理的リソースブロックを含むかどうかである、請求項１０に記載の装置。
【請求項１２】
前記変化基準は、前記割り当てられたダウンリンクリソースの全てが前記バンドリングウインドウ内の同じ物理的リソースブロックであるかどうかである、請求項１０に記載の装置。
【請求項１３】
ｌ個の応答ビットの各々及び確認用ビットの各々は、データが受け取られたという確認又は受け取られないという否定確認であり、前記第１アルゴリズムは、ｌ番目のレイヤ当たり全ての割り当てられたリソースに対する全てのリソース特有確認及び否定確認の論理的ＡＮＤ演算を含み、そして前記第２アルゴリズムは、ｌ番目のサブフレームグループ当たりｌ枚のレイヤにわたる全ての割り当てられたリソースに対する全てのリソース特有確認及び否定確認の論理的ＡＮＤ演算を含む、請求項８から９のいずれかに記載の装置。
【請求項１４】
前記装置は、ユーザ装置を含み、そして前記少なくとも１つの送信器は、発生されたｌ個の応答ビットをネットワークノードへ送信するように構成された、請求項１３に記載の装置。
【請求項１５】
ダウンリンクリソースの割り当てを受け取り、そしてｌを整数とすれば、ｌ枚のレイヤにおいてその割り当てられたダウンリンクリソースをデータについて監視するための受信手段と、
各々割り当てられて監視されるダウンリンクリソースごとにデータが受け取られたという確認又は受け取られないという否定確認である確認用ビットを発生し、少なくとも、ダウンリンクリソースを第１モードでバンドリングする第１アルゴリズム及びダウンリンクリソースを第２モードでバンドリングする第２アルゴリズムの中から前記割り当てられたダウンリンクリソースのパターンに基づいて選択を行い、更に、第１又は第２の各モードに基づいてバンドリングされたダウンリンクリソースに対応する前記発生された確認用ビットに対して前記選択された第１又は第２アルゴリズムを使用して、ｌ個の応答ビットを発生するための処理手段と、
前記発生されたｌ個の応答ビットを送信するための送信手段と、
を備え、
前記第１アルゴリズムは、ｌ枚のレイヤの各々に基づいてダウンリンクリソースをバンドリングして、各ｌ番目の応答ビットがｌ番目のレイヤのみにおけるリソースに特有のものであるようにし、そして前記第２アルゴリズムは、ｌ枚のレイヤ全部にわたるサブフレームのグループにおけるダウンリンクリソースをバンドリングして、各ｌ番目の応答ビットが、ｌ枚のレイヤ全部に及ぶｌ番目のサブフレームグループ内のリソースに特有のものであるようにする装置。
【発明の詳細な説明】
【技術分野】
【０００１】
本発明は、一般的に、ワイヤレスネットワークにおけるコントロールシグナリングに係り、より詳細には、グループ化されたダウンリンクリソースにおいて受け取られるデータのためのＡＣＫ／ＮＡＣＫシグナリングに係る。
【背景技術】
【０００２】
次の省略形及び用語を定義する。
３ＧＰＰ：第３世代パートナーシッププロジェクト
ＡＣＫ：確認
ＤＬ：ダウンリンク
ＤＴＸ：不連続送信
ｅＮＢ：ＬＴＥシステムのベースステーション／ノードＢ
Ｅ−ＵＴＲＡＮ：進化型ＵＴＲＡＮ
ＦＤＤ：周波数分割デュープレックス
Ｈ−ＡＲＱ：ハイブリッド自動リピート（又は再送信）要求
ＬＴＥ：３ＧＰＰの長期進化（３．９Ｇとしても知られている）
ＭＣＳ：変調及びコーディングセット（又はスキーム）
ＭＩＭＯ：マルチ入力マルチ出力（アンテナ構成に関連した）
ＮＡＣＫ：否定確認
ノードＢ：ベースステーション又は同様のネットワークアクセスノード
ＯＦＤＭ：直交周波数分割多重
ＰＤＣＣＨ：物理的ダウンリンクコントロールチャンネル
ＰＤＳＣＨ：物理的ダウンリンク共有チャンネル
ＰＭＩ：プレコーディングマトリクスインデックス
ＰＲＢ：物理的リソースブロック
ＰＵＣＣＨ：物理的アップリンクコントロールチャンネル
ＰＵＳＣＨ：物理的アップリンク共有チャンネル
ＴＤＤ：時分割デュープレックス
ＵＥ：ユーザ装置（例えば、移動装置／ステーション）
ＵＬ：アップリンク
ＵＭＴＳ：ユニバーサルモバイルテレコミュニケーションシステム
ＵＴＲＡＮ：ＵＭＴＳ地上無線アクセスネットワーク
【０００３】
３ＧＰＰとは、無線アクセス技術の長期進化（ＬＴＥ）を標準化するもので、短い待ち時間、高いユーザデータレート、改善されたシステム容量及びカバレージ、並びに運営者にとって低いコストを達成することを目的とする。これら技術に対するＬＴＥの現在の理解は、優先権文書に証拠Ａとして添付した“Physical Layer Procedures (Release 8)”と題する３ＧＰＰ  ＴＲ  ３６．２１３  ｖ８．３．０（２００８年５月）に見ることができる。ＦＤＤ及びＴＤＤは、両方とも、ＬＴＥにおいて考えられるものであり、以下に詳述する本発明の非限定例は、ＴＤＤモードに関して説明する。
【０００４】
無線リソースの割り当ては、ＬＴＥでは、ＰＤＣＣＨにおいて行われる。特定のＵＥは、その指定の時間にＰＤＣＣＨを聴取し、ＵＬ及び／又はＤＬリソースが割り当てられたかどうか調べる。もしそうであれば、ＵＥは、ＰＤＣＣＨにおける割り当て情報を、場合によって、ＰＤＳＣＨ又はＰＵＳＣＨへマップする。ＵＬ割り当ての場合には、ＵＥは、割り当てられたＵＬリソースに関するデータを送信し、そのリソースをコントロールチャンネルへマップして、ＵＬデータに対するｅＮＢのＡＣＫ／ＮＡＣＫを聴取する。ＤＬ割り当ての場合には、ＵＥは、マップされたＤＬリソースに同調し、ｅＮＢからのデータを監視し、そしてそのＤＬリソースをコントロールチャンネルへマップして、ＤＬデータに対するそのＡＣＫ／ＮＡＣＫを送信する（特に、ＤＬコントロール情報ＤＣＩを搬送するＰＤＣＣＨの最も低いコントロールチャンネルエレメントインデックスが、ＡＣＫ／ＮＡＣＫを搬送するＵＬチャンネルへマップされる）。各ＰＤＣＣＨは、複数の割り当てを与え、典型的なシナリオでは、所与のＰＤＣＣＨにおいてＵＬよりもＤＬの割り当ての方が多い。これらの教示は、その典型的なシナリオを仮定する。
【０００５】
ＬＴＥは、ユーザデータの転送に対して無線リソースを保存すると共に、ＵＥの限定された電源をより効率的に使用するために、ある場合には、従来のワイヤレスプロトコルに比してコントロールシグナリングを減少させる。上述したように、ＬＴＥは、ＵＬサブフレームより多くのＤＬサブフレームがあるフレーム構成を許し、これは、割り当てられるリソースとそのＡＣＫ／ＮＡＣＫとの１対１のマッピングを困難にする。これらの問題に対処する１つの仕方は、ＤＬリソースのグループにわたって受信されるデータに対し単一のＡＣＫ／ＮＡＣＫを送信することである。これに関しては、証拠Ｂとして優先権文書に添付された“Multiple ACK/NACK for TDD”と題する文書Ｒ１−０８１１１０（３ＧＰＰＴＳＧ−ＲＡＮ  ＷＧ１  ＃５２、イタリア、ソレント、２００８年２月１１−１５日、エリクソン、モトローラ、ノキア、ノキアシーメンスネットワーク及びクオルコムによる）を参照されたい。この文書には、ＬＴＥに対して、１つ又は多数のＤＬサブフレームからのＡＣＫ／ＮＡＣＫが合成される場合にはＴＤＤにおけるＵＬハイブリッドＡＲＱ確認を単一のＡＣＫ／ＮＡＣＫフィードバックとして送信できることが合意されると記載されている。これは、ＡＣＫ／ＮＡＣＫを「バンドルする(bundling)」と称され、種々のＤＬリソースに対するＡＣＫ／ＮＡＣＫについて論理ＡＮＤ演算を行うことにより遂行されて、単一のＡＣＫ／ＮＡＣＫレポートを発生し、これは、ＬＴＥに対して既に定義されているＰＵＣＣＨフォーマットを再使用できるようにする（ＰＵＣＣＨフォーマット１／１Ａ／１Ｂ）。このＡＣＫ／ＮＡＣＫモードは、「ＡＮバンドリング」と広く命名されている（ＡＮは、ＡＣＫ／ＮＡＣＫの短縮形）。これは、どのＤＬサブフレームがどのＵＬサブフレームにおいて一緒に確認されるかについてハードコード化されねばならず（優先権文書の証拠Ａにおける例えばＴＳ  ３６．２１３のような仕様から）、従って、どのＴＤＤ構成がアクティブであるかに依存する。
【０００６】
ＵＥは、それが二重レイヤ受信（例えば、ＭＩＭＯ）用として構成されるときは、そのアップリンクＡＣＫ／ＮＡＣＫチャンネルで２つのビットを搬送する。これらビットは、各レイヤを確認するために必要とされる（レイヤ及びストリームという語は、交換可能に使用される）。しかしながら、ＵＥは、ＡＣＫ／ＮＡＣＫバンドリングウインドウ内の全てのサブフレームに厳密に同じＰＲＢリソース（又は送信パラメータ）が指定されない場合には、あるレイヤ（又はストリーム）に対してサブフレーム間に限定された相関しかもたず、この場合は、そのようなストリームのバンドリングされたＡＣＫ／ＮＡＣＫが意味のないものとなる。
【０００７】
本発明者は、以前にこれを確認しており、そして前記ケースでは、これら２つのビットを使用して、利得を得るためのより小さなサブバンドリングウインドウを生成するのが良いことを決定した。このようなサブバンドリングは、証拠Ｃとして優先権文書に添付された“Virtual Dual-Stream Transmission to Reduce PDCCH Reliability Problem for Downlink-Heavy LTE TDD”と題する米国プロビジョナル特許出願第６１／０２９，３６１号において、本発明者により単一ストリームのケースについて説明されている。
【発明の概要】
【発明が解決しようとする課題】
【０００８】
上述した米国プロビジョナル特許出願は、バーチャル二重ストリーム送信を行うためにＵＥをどのように構成するか考慮し、そしてそれをＭＩＭＯと一体化できると説明している。ビットの使用を最適化するために、より上位レイヤの構成を使用することができる。
【課題を解決するための手段】
【０００９】
本発明の規範的実施形態は、その第１の態様において、ダウンリンクリソースの割り当てを受け取り、そしてｌ枚のレイヤ（ｌは、正の整数）においてその割り当てられたダウンリンクリソースをデータについて監視するステップと；各々割り当てられて監視されるダウンリンクリソースごとにリソース特有ビットを発生するステップと；その割り当てられたダウンリンクリソースのパターンに基づいて、少なくとも、ダウンリンクリソースを第１モードでバンドリングする第１アルゴリズム及びダウンリンクリソースを第２モードでバンドリングする第２アルゴリズムの中から選択を行うステップと；第１又は第２の各モードに基づいてバンドリングされたダウンリンクリソースに対応する前記発生されたリソース特有ビットに対して前記選択された第１又は第２アルゴリズムを使用して、ｌ個の応答ビットを発生するステップと；その発生されたｌ個の応答ビットを送信するステップと；を備えた方法を提供する。
【００１０】
本発明の規範的実施形態は、その第２の態様において、少なくとも１つの受信器と、少なくとも１つのプロセッサと、少なくとも１つの送信器とを備えた装置を提供する。少なくとも１つの受信器は、ダウンリンクリソースの割り当てを受け取り、そしてｌ枚のレイヤ（ｌは、整数）においてその割り当てられたダウンリンクリソースをデータについて監視するように構成される。少なくとも１つのプロセッサは、各々割り当てられて監視されるダウンリンクリソースごとにリソース特有ビットを発生し、そして少なくとも、ダウンリンクリソースを第１モードでバンドリングする第１アルゴリズム及びダウンリンクリソースを第２モードでバンドリングする第２アルゴリズムの中から選択を行うように構成され、前記選択は、その割り当てられたダウンリンクリソースのパターンに基づいて行われ、更に、プロセッサは、第１又は第２の各モードに基づいてバンドリングされたダウンリンクリソースに対応する前記発生されたリソース特有ビットに対して前記選択された第１又は第２アルゴリズムを使用して、ｌ個の応答ビットを発生するように構成される。少なくとも１つの送信器は、その発生されたｌ個の応答ビットを送信するように構成される。
【００１１】
本発明の規範的実施形態は、その第３の態様において、ダウンリンクリソースの割り当てを送出し、そしてその割り当てられたダウンリンクリソースに関するデータを送信するステップと；その送信されたデータの否定確認である応答ビットを受け取るのに応答して、少なくとも、ダウンリンクリソースを第１モードでバンドリングする第１アルゴリズム及びダウンリンクリソースを第２モードでバンドリングする第２アルゴリズムの中から、前記割り当てられたダウンリンクリソースのパターンに基づいて選択を行うステップと；その選択されたアルゴリズムからバンドリングウインドウ及びレイヤの組み合わせを決定するステップと；そのバンドリングウインドウ及びレイヤの組み合わせにより指示される前記割り当てられたダウンリンクリソースにおける否定確認の対象であるデータを再送信するステップと；を備えた方法を提供する。
【００１２】
本発明の規範的実施形態は、その第４の態様において、受信手段、処理手段及び送信手段を備えた装置を提供する。受信手段は、ダウンリンクリソースの割り当てを受け取り、そしてｌ枚のレイヤ（ｌは、整数）においてその割り当てられたダウンリンクリソースをデータについて監視するためのものである。処理手段は、各々割り当てられて監視されるダウンリンクリソースごとにリソース特有ビットを発生し、少なくとも、ダウンリンクリソースを第１モードでバンドリングする第１アルゴリズム及びダウンリンクリソースを第２モードでバンドリングする第２アルゴリズムの中から、前記割り当てられたダウンリンクリソースのパターンに基づいて選択を行い、更に、第１又は第２の各モードに基づいてバンドリングされたダウンリンクリソースに対応する前記発生されたリソース特有ビットに対して前記選択された第１又は第２アルゴリズムを使用して、ｌ個の応答ビットを発生するためのものである。送信手段は、その発生されたｌ個の応答ビットを送信するためのものである。
【００１３】
これら教示の前記及び他の態様は、添付図面を参照して以下の説明を読んだときに明らかとなるであろう。
【図面の簡単な説明】
【００１４】
【図１】単一レイヤＵＥのためのＴＤＤ構成についてのサブバンドリング原理を示す。
【図２】本発明の規範的実施形態による「ノーマル」二重レイヤ送信を上部タイミング図に示し、「バーチャル」二重レイヤ送信を下部タイミング図に示す。
【図３】本発明の規範的実施形態の具現化に使用するのに適した種々の電子装置の簡単なブロック図である。
【図４】本発明の規範的実施形態によるプロセスフローチャートである。
【発明を実施するための形態】
【００１５】
ここでは、特許請求の範囲に規定する発明の背景又は状況を述べる。ここでの説明は、達成することのできる概念を含むが、必ずしも、以前に考えられ又は達成されたものではない。それ故、特に指示のない限り、ここに述べるものは、本出願の明細書及び特許請求の範囲に対して従来技術でもないし、ここに含ませることにより従来技術と認められるものでもない。
【００１６】
最初に、以下の例及び説明は、ＬＴＥネットワークに関するものであるが、本発明の実施形態は、それに限定されず、ダウンリンク送信が異なるユーザにマルチプレクスされるいかなるネットワークプロトコルにも使用でき、例えば、ＵＴＲＡＮ（ユニバーサル移動テレコミュニケーションシステム地上無線アクセスネットワーク）、ＧＳＭ（移動通信用のグローバルシステム）、ＷＣＤＭＡ（３Ｇ又はＵＴＲＡＮとしても知られているワイドバンドコード分割多重アクセス）、ＷＬＡＮ（ワイヤレスローカルエリアネットワーク）、ＷｉＭＡＸ（マイクロ波アクセスのための世界的相互運用性）、等々に使用できることに注意されたい。更に、以下の説明で使用される種々の名前（例えば、ＰＤＣＣＨ、ＰＲＢ、等）は、いかなる点でも限定されず、むしろ、本発明を明確に理解するために現在のＬＴＥ用語を使用する特定のＬＴＥ具現化に向けられた特定例として働くものである。これらの用語／名前は、今後、ＬＴＥにおいて変更されるかもしれず、又、異なるネットワークプロトコルにおいて他の用語／名前で参照されるかもしれず、そしてこれら技術は、このような他のプロトコルに対して容易に適応され、拡張されるものである。
【００１７】
最初、単一レイヤＵＥのためのＬＴＥについての本発明者の提案を詳細に述べ、これを後で使用して、これら教示に基づく二重レイヤ構成のＵＥのためのバーチャル二重レイヤＡＣＫ／ＮＡＣＫシグナリングの基礎を説明する。
【００１８】
単一レイヤＡＣＫ／ＮＡＣＫバンドリング：
ＡＣＫ／ＮＡＣＫバンドリング解決策は、ＵＥがアップリンクにおける単一のＡＣＫで複数のＤＬ指定を確認するものであると決定されている。２ビットダウンリンク指定インデックス（ＤＡＩ）フィールドが提案されており、これは、以下のテーブル１に示すＴＤＤ構成＃５を除いて、全てのＴＤＤ構成について良好な解決策を与える（Ｄ＝ＤＬ、Ｕ＝ＵＬ、Ｓ＝ＤＬサブフレームは、ＤＬからＵＬへスイッチする）。
【００１９】
【表１】
0005391275.tif 000002
【００２０】
アップリンクにおいて単一ＡＣＫビットをサポートしながらダウンリンクにおいて完全なアクティビティ（例えば、各ＡＣＫ／ＮＡＣＫバンドリングウインドウに対して９個のＤＬ指定）までをサポートするために、ダウンリンク指定インデックスに対して幾つかの変更を行うことができる。これは、依然、多数の再送信を引き起こし、従って、スペクトル効率を低下させる。それ故、多数の貢献において、より高次のＡＣＫ／ＮＡＣＫを使用して性能を改善することが提案されている。
【００２１】
２つのＡＣＫビットを使用できる特殊なケースを取り上げ、これは、例えば、単一レイヤＡＣＫ／ＮＡＣＫと同じＰＵＣＣＨリソース保存を要求するがリンクバゲットに優れた二重レイヤＭＩＭＯ  ＡＣＫ／ＮＡＣＫと同等である。これは、ＴＤＤ構成に対して簡単なルール９ＤＬ：１ＵＬを伴う最も簡単なケースであり、現在のＬＴＥ手順に対して最小の変化で性能を改善できることが示される。
【００２２】
テーブル１のＴＤＤ構成＃５では、９個のＤＬサブフレームが１個のＵＬサブフレームに関連付けられる。単一レイヤ構成のＵＥ及び９サブフレームＡＣＫ／ＮＡＣＫバンドリングウインドウの場合、図１に示すように、先ず、それを２つのサブバンドリングウインドウに分割する。次いで、サブバンドリングウインドウ内のスケジューリング判断が同じＣＱＩレポートに基づいてなされる見込みが高い場合にはサブフレームをバンドリングするために、図１に示すようなハードコード化分割が課せられる。
【００２３】
再び、単一ＡＣＫ／ＮＡＣＫチャンネルの仮定を使用するが、今度は、より大きなダウンリンクスケジューリング融通性を許すためにＱＰＳＫ（四位相シフトキーイング）送信の融通性を使用する。図１に示す２つのサブバンドリングウインドウ（サブフレーム１−５及びサブフレーム６−９）の各々に対してＡＣＫ／ＮＡＣＫビットを（ｂ1、ｂ2）と表す。１つの特定例として、各サブバンドリングウインドウのＡＣＫ／ＮＡＣＫ状態の関数として送信される記号がテーブル２に示されている（これらの教示から逸脱せずに厳密なコンステレーションマッピングは異なってもよい）。
【００２４】
【表２】
0005391275.tif 000003
【００２５】
１つの設計上の原理は、ＰＵＣＣＨフォーマット１ａ／１ｂを使用して単一のＡＣＫ／ＮＡＣＫチャンネルを経て複数のＡＣＫ／ＮＡＣＫビットを送信することである。この解決策では、複数のＡＣＫ／ＮＡＣＫビットを送信するために付加的なＰＵＣＣＨリソースを予約する必要がない。
【００２６】
単一レイヤ送信に対するこの解決策は、４サブフレームサブバンドリングウインドウに対してダウンリンク指定インデックス定義を容易に再使用すると共に、ＵＥをそのウインドウにおいて４／５動的ＤＬ指定に制限する場合には５サブフレームサブバンドリングウインドウに対して使用することもできる。或いは又、ＴＤＤ構成＃５のための単一ＡＣＫ／ＮＡＣＫに対して提案された方法もここに使用して、ＵＥがＤＬ容量の１００％でアクセスアクセスできるようにする。
【００２７】
ｅＮＢは、そのＵＬリンク適応方法により、１０ｍｓのデュープレックス周期ごとに、ＵＥが２ビットＡＣＫ／ＮＡＣＫをサポートして、ＵＥに対して４つより多いＤＬ指定をスケジュールできるかどうか予想することができる。「１ビット」ＡＣＫ／ＮＡＣＫしかサポートできない場合には、ユーザを単一のサブバンドリングウインドウ内でしかスケジュールしないように、スケジューリングの融通性が制限される。ＣＱＩ待ち時間に一致するようにサブバンドリングウインドウをスマートマッピングにすることにより、これは、実際には僅かな制限であることが期待される。
【００２８】
二重レイヤＡＣＫ／ＮＡＣＫバンドリング：
次に、ＵＥが二重レイヤ送信を行うことができ、そしてＵＥがそのデータについて監視するＤＬリソースが各ストリーム／レイヤ上でＡＣＫ／ＮＡＣＫされねばならないケースについて考える。二重レイヤバンドリングについての本発明の実施形態は、ｅＮＢ及びＵＥの両方に前もって知られた振舞いルールであって、受信したスケジューリングパターンと、データを受信すべきところのＤＬリソースに対するスケジューリングパターンの性質とに基づいて２つのＡＣＫ／ＮＡＣＫビットをどのように使用すべきか決定し／指令する振舞いルールを指定する。本質的に、各ＤＬリソースは、ＡＣＫ又はＮＡＣＫを発生する。この点において、発生されたＡＣＫ／ＮＡＣＫは送信されず、従って、これらビットの各々を中間ビット又はリソース特有ビットと称する。ＵＥは、２つの異なるアルゴリズムの一方又は他方を選択して、これらリソース特有ＡＣＫ／ＮＡＣＫの種々のものを論理的に合成（ＡＮＤ）し、この選択は、リソース割り当てそれ自体のスケジューリングパターンに基づく。次いで、ＵＥは、選択されたアルゴリズムに基づき個々のＡＣＫ／ＮＡＣＫを論理的に合成し、次いで、バンドリングされたリソースの論理的組合せを表す単一ビットであるＡＣＫ／ＮＡＣＫのみを送信する。２つのレイヤが存在するので、ＵＥは、２つのビットを発生するが、その両方を発生するのにＤＬパターンに基づく単一の選択が使用される。
【００２９】
本発明の規範的実施形態を例示するために、図２を参照する。図１と同様に、これは、二重レイヤＵＥに対するものであるが、ＴＤＤ構成＃５（９ＤＬ：１ＵＬ）を示す。この例は、これに限定されるものではなく、これらの教示は、ＡＣＫ／ＮＡＣＫバンドリングが指定される全てのＴＤＤ構成に対して一般的に使用される（例えば、ＤＬリソースがＵＬリソースの量を越えるとき）ことに注意されたい。又、これら教示も、他のワイヤレスプロトコルへと拡張することができる。
【００３０】
ＵＥがそのＡＣＫ／ＮＡＣＫビットを使用できる２つの仕方について先ず説明するのが有用であろう。二重レイヤＵＥであるように構成される（上位レイヤ）ので、常に、２ビットを使用できる（ＱＰＳＫ記号）。図２の上部タイミング図には、簡単化のために、デフォールトモード又は「ノーマル」モードと考えられるものが示されている。第１レイヤ及び第２レイヤの各々には、９個のＤＬサブフレームが存在する。ＵＥは、レイヤごとに１つづつ、２つのＡＣＫ／ＮＡＣＫビットを生成し、その各々は、ＡＮＤ演算を使用して、ＤＬサブフレームごとにＵＥが決定した個々のＡＣＫ／ＮＡＣＫを総計するものである。サブフレームｎ（ここで、ｎは、図２の例では、１から９の範囲のＤＬサブフレーム）及びレイヤｌ（ここで、ｌは、図２の二重レイヤの例では、１から２の範囲）に対応するＡＣＫ／ＮＡＣＫをａn,lと定義する。次いで、ＵＥは、その２つのＡＣＫ／ＮＡＣＫビットを次のように生成する。
Ａ1＝ＡＮＤ（ａ1,1、ａ2,1、ａ3,1、ａ4,1、ａ5,1、ａ6,1、ａ7,1、ａ8,1、ａ9,1）
Ａ2＝ＡＮＤ（ａ1,2、ａ2,2、ａ3,2、ａ4,2、ａ5,2、ａ6,2、ａ7,2、ａ8,2、ａ9,2）
【００３１】
この例では、総計ビットＡ1は、レイヤ１における全てのリソース特有ＡＣＫ／ＮＡＣＫビットを総計し、そして総計ビットＡ2は、レイヤ２における全てのリソース特有ＡＣＫ／ＮＡＣＫビットを総計する。これは、個々のレイヤに対する全てのＤＬサブフレームにわたる簡単な論理的ＡＮＤ関数であることに注意されたい。これは、上述した単一レイヤＡＣＫ／ＮＡＣＫ手順の拡張であり、従って、これをＡＣＫ／ＮＡＣＫに関して「ノーマル」二重レイヤ構成と称する。
【００３２】
又、第２モードも、サブバンドリングと称することができるが、これは、ＡＣＫ／ＮＡＣＫに関して「バーチャル」二重レイヤ送信を使用するものと称する。その一例が、図２の下部タイミング図に示されている。図１と同様に、サブバンドリングは、サブフレーム１−５とサブフレーム６−９との間に分割する。依然、２つのレイヤがあり、従って、２つのＡＣＫ／ＮＡＣＫビットが送信される。しかし、この「バーチャル」二重レイヤ送信では、第１ビットが、第１サブセットの割り当てられたＤＬリソースに対する両方／全てのレイヤにおける個々のＤＬリソースの全てのＡＣＫ／ＮＡＣＫから総計され、そして第２ビットが、第２サブセットの割り当てられたＤＬリソースに対する両方／全てのレイヤにおける個々のＤＬリソースの全てのＡＣＫ／ＮＡＣＫから総計される（第１及び第２のサブセットは、オーバーラップせず、一般的にサブバンドリング概念と一致して、割り当てられたＤＬリソースの全部を完全に包囲する）。バンドリングウインドウ内のＤＬサブフレームは、２つの部分に分割され、各部分に対して個別のＡＣＫ／ＮＡＣＫが生成されることが明らかである。図２の下部タイミング図に示された５／４分割の特定例を使用して、２つのＡＣＫ／ＮＡＣＫビットが次のように生成される。
Ａ1＝ＡＮＤ(ａ1,1、ａ2,1、ａ3,1、ａ4,1、ａ5,1、ａ1,2、ａ2,2、ａ3,2、ａ4,2、ａ5,2)
Ａ2＝ＡＮＤ(ａ6,1、ａ7,1、ａ8,1、ａ9,1、ａ6,2、ａ7,2、ａ8,2、ａ9,2)
【００３３】
この例では、総計ビットＡ1は、第１サブセットのサブフレーム（この例では、サブフレーム１−５）のみに対する全てのレイヤ（この例では、両レイヤ）の全てのリソース特有ＡＣＫ／ＮＡＣＫビットを総計し、そして総計ビットＡ2は、第２サブセットのサブフレーム（この例では、サブフレーム６−９）のみに対する全てのレイヤの全てのリソース特有ＡＣＫ／ＮＡＣＫビットを総計するものである。上述した「ノーマル」送信と同様に、これも簡単な論理的ＡＮＤ関数であるが、「ノーマル」アルゴリズムとは異なり、このＡＣＫは、個々のレイヤのＤＬサブフレームのサブセットに対して全てのレイヤを横断する。換言すれば、ＡＣＫがレイヤを横断するようにし、次いで、ＡＣＫ／ＮＡＣＫを時間ドメインへ分割するが、「ノーマル」解決策は、ＡＣＫが全てのＤＬサブフレームを横断するようにし、そして２つのＡＣＫビットを空間的ドメインにより分割する。
【００３４】
本発明の１つの態様は、レポートモード間をスイッチできることであり、即ちＡＮＤ演算をどのように遂行するか取り扱うことである。サブバンドリング／ウインドウサイズの５／４分割であっても４／５分割であっても又は他の分割であっても、ＤＬリソースの異なるパターンに対してＡＣＫ／ＮＡＣＫを発生するための異なる総計の基礎的概念に何ら差異を生じない。
【００３５】
ｅＮＢとＵＥとの間の正しい解釈については、送信／受信リンクの両端に同じモードを仮定することが重要である。このため、標準化ルールのセットが必要となり、従って、モードを明確にシグナリングする必要はない。これは、上位レイヤ構成（例えば、物理的なレイヤより上位の中間アクセスコントロールレイヤ又は他の何らかのレイヤ）により行うことができる。ＬＴＥ（例えば、リリース９）に対してこれを採用できるまでは、ｅＮＢ及びＵＥの両方に曖昧でない明確な仕方で最良の方法を自動的に選択する動的なルールが提案される。
【００３６】
本発明の背後にある１つの特定の動機を理解するために、どの状態に２つのモードが好ましいか詳細に述べるのが有用であろう。個々のＡＣＫ／ＮＡＣＫをＡＮＤするときは、通信システムにとって、これら個々のＡＣＫ／ＮＡＣＫができるだけ相関したものであるのが最良である。さもなければ、不必要な量の再送信が続くことになる。これを銘記した上で、２つのルール又はガイドラインが提示される。
１．ＵＥに対するＤＬ指定が時間的に高度に相関していて、２つのＭＩＭＯレイヤ間の脱相関が大きいときに、ノーマル二重レイヤＡＣＫ／ＮＡＣＫ方法を使用する。これは、例えば、ＡＣＫ／ＮＡＣＫバンドリングウインドウ全体にわたり全く同じリソースにＵＥが指定されたときである。（「全く同じリソース(very same resource)」という語は、以下に詳細に述べる）
２．連続するＤＬ指定が時間的及び周波数的に相関しておらず、ＭＩＭＯレイヤをＡＮＤしても真の意味がないときに、バーチャル二重レイヤＡＣＫ／ＮＡＣＫ方法を使用する。このケースでは、時間分布したＡＣＫ／ＮＡＣＫの利得をもつことが好ましい。
【００３７】
本発明者のシミュレーションは、単一レイヤ送信の場合に、ノーマルからバーチャルのＡＣＫ／ＮＡＣＫ方法へ進むことによる利得が１１％であり、従って、この特徴に対して著しい利得が期待されることを示している。このため、時間的に大きな相関があるかどうかＵＥが決定できるように定義された変化基準について詳細に述べる。この変化基準は、上述した「全く同じリソース」を識別するのに使用される。ＡＣＫ／ＮＡＣＫ方法を使用すべきことを決定するためにＵＥに（及びＡＣＫ／ＮＡＣＫを正しく解釈できるようにそれ自身の生成したＤＬ指定に基づいてｅＮＢにも）使用されるアルゴリズムは、規範的な実施形態において、次のように公式化される。
変化基準を越える場合には、
バーチャル二重レイヤＡＣＫ／ＮＡＣＫ方法を使用する。
さもなければ、
ノーマル二重レイヤＡＣＫ／ＮＡＣＫ方法を使用する。
終了
このアルゴリズムは、完全なＤＬバンドリングウインドウごとに実行される。
【００３８】
変化基準
一般的に、バーチャル二重レイヤＡＣＫ／ＮＡＣＫ方法は、非常に顕著な利得潜在性を可能にし（例えば、シミュレーションの前記ケースでは１１％）、従って、変化基準は、かなり積極的なものとすることができ、そして全バンドリング周期にわたって各レイヤの性能の間に高い相関性があることをＵＥが相対的に確信するときだけノーマル二重レイヤＡＣＫ／ＮＡＣＫ方法を促進することができる。又、変化基準は、もちろん、ネットワークシグナリング（例えば、システム情報、ハンドオーバー時の専用ＵＥシグナリング、等）により構成可能であるが、より典型的なケースでは、ｅＮＢ及びＵＥは、永久的でないまでもある程度持続的である所定の変化基準に従う。
【００３９】
簡単な例として、変化基準を明らかにするために前記アルゴリズムの次の再公式化について考える。
ＵＥが厳密に同じ物理的リソース（ＰＲＢ）でスケジューリングされた場合には、
バンドリングウインドウ内の全てのアクティブなＤＬ指定の間に、
ノーマル二重レイヤＡＣＫ／ＮＡＣＫ方法を使用する。
さもなければ、
バーチャル二重レイヤＡＣＫ／ＮＡＣＫ方法を使用する。
終了
【００４０】
もちろん、この概念の他の実施形態は、他のバランスを選択してもよく、例えば、「厳密な」は、全てのＤＬ指定に単一のＰＲＢしか使用しないことを要求する「オーバーラップ」として再公式化することができる。これは、ビットレス積極性とみなされ（どの程度積極的でないかは、ノーマルモードとバーチャルモードとの間の切り換えをトリガーするオーバーラップの程度、ｘ個のアクティブなＤＬ指定にわたり同一であるＰＲＢ、に依存する）、そして上述したように、本発明者の最初のシミュレーションは、バーチャルモードのより積極的な使用によって利用される利得を示す。
【００４１】
「厳密に同じ物理的リソース」という前記定義は、次のものの組み合わせへと拡張できることに注意されたい。
●割り当てられたＰＲＢ
●選択されたＭＣＳ（両レイヤに対して）
●ＰＭＩ（プレコーディングマトリクスインデックス）情報
【００４２】
これらの種々の組み合わせを使用して、レイヤ間の適切な相関を決定し、最大利得が達せられる変化基準を使用することができる。
【００４３】
本発明の規範的実施形態の具現化に使用するのに適した種々の電子装置の簡単なブロック図である図３について説明する。図３において、ワイヤレスネットワーク９は、ＵＥ１０とノードＢ１２（ｅＮＢ）との間で通信を行うものである。ネットワーク９は、ゲートウェイＧＷ／移動管理エンティティＭＭＥ／無線ネットワークコントローラＲＮＣ１４、又は異なるワイヤレス通信システムにおいて種々の用語によって知られた他の無線コントローラ機能を備えている。ＵＥ１０は、デジタルプロセッサ（ＤＰ）１０Ａと、プログラム（ＰＲＯＧ）１０Ｃを記憶するメモリ（ＭＥＭ）１０Ｂと、１つ以上のワイヤレスリンク２０を経てｅＮＢ１２と両方向ワイヤレス通信するために１つ以上のアンテナ１０Ｅ（２つが示されている）に結合された適当な高周波（ＲＦ）トランシーバ１０Ｄとを備えている。
【００４４】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含する。要素間の結合又は接続は、物理的、論理的又はその組み合わせである。非限定的な例として、ここで使用する２つの要素は、１本以上のワイヤ、ケーブル及び印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【００４５】
又、ｅＮＢ１２も、ＤＰ１２Ａと、ＰＲＯＧ１２Ｃを記憶するＭＥＭ１２Ｂと、１つ以上のアンテナ１２Ｅ（２つが示されている）に結合された適当なＲＦトランシーバ１２Ｄとを備えている。ｅＮＢ１２は、データ経路３０（例えば、Ｉｕｂ又はＳ１インターフェイス）を経てサービング又は他のＧＷ／ＭＭＥ／ＲＮＣ１４に結合される。ＧＷ／ＭＭＥ／ＲＮＣ１４は、ＤＰ１４Ａと、ＰＲＯＧ１４Ｃを記憶するＭＥＭ１４Ｂと、Ｉｕｂリンク３０を経てｅＮＢ１２と通信するための適当なモデム及び／又はトランシーバ（図示せず）とを備えている。
【００４６】
又、ｅＮＢ１２内には、その制御のもとで種々のＵＥを種々のＵＬ及びＤＬサブフレームに対してスケジューリングするスケジューラ１２Ｆもある。スケジューリングされると、ｅＮＢは、スケジューリング許可（典型的に、上述したＰＤＣＨのように、１つのメッセージにおける複数のＵＥに対するマルチプレクシング許可）と共にメッセージをＵＥへ送信する。一般に、ＬＴＥシステムのｅＮＢ１２は、そのスケジューリングが非常に自律的であり、そのＵＥの１つから別のｅＮＢへ又は別の無線アクセスシステムのアクセスノードへのハンドオーバー中を除いて、ＧＷ／ＭＭＥ１４と整合する必要はない。
【００４７】
ＰＲＯＧ１０Ｃ、１２Ｃ及び１４Ｃの少なくとも１つは、関連ＤＰによって実行されたときに、電子装置が、上述した本発明の規範的実施形態に基づいて動作できるようにするプログラムインストラクションを含むものと仮定する。ＤＰ１０Ａ、１２Ａ及び１４Ａに本来あるのは、スケジューリング許可及び許可されたリソース／サブフレームが時間依存であるので、送信及び受信のための種々の装置間の同期を、必要とされる適当な時間インターバル及びスロット内でとれるようにするクロックである。
【００４８】
ＰＲＯＧ１０Ｃ、１２Ｃ及び１４Ｃは、ソフトウェア、ファームウェア及び／又はハードウェアで適宜に実施される。一般的に、本発明の規範的な実施形態は、ＵＥ１０のＭＥＭ１０Ｂに記憶されてＤＰ１０Ａにより実行可能なコンピュータソフトウェアにより具現化することができ、そしてｅＮＢ１２の他のＭＥＭ１２Ｂ及びＤＰ１２Ａについても同様であり、或いは図示された装置のいずれか又は全部において、ハードウェアにより、又はソフトウェア及び／又はファームウェア及びハードウェアの組み合わせにより具現化することができる。
【００４９】
一般的に、ＵＥ１０の種々の実施形態は、移動ステーション、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような映像捕獲装置、ワイヤレス通信能力を有するゲーム装置、ワイヤレス通信能力を有する音楽記憶及び再生機器、ワイヤレスインターネットアクセス及びブラウジングを許すインターネット機器、並びにそのような機能を組み合わせて合体するポータブルユニット又はターミナルを含むが、これらに限定されない。
【００５０】
ＭＥＭ１０Ｂ、１２Ｂ及び１４Ｂは、ローカル技術環境に適した任意の形式のものでよく、適当なデータ記憶技術、例えば、半導体ベースのメモリ装置、磁気メモリ装置及びシステム、光学メモリ装置及びシステム、固定メモリ及び取り外し可能なメモリを使用して具現化することができる。ＤＰ１０Ａ、１２Ａ及び１４Ａは、ローカル技術環境に適した任意の形式のものでよく、非限定例として、汎用コンピュータ、特殊目的コンピュータ、マイクロプロセッサ、デジタル信号プロセッサ（ＤＳＰ）、及びマルチコアプロセッサアーキテクチャーをベースとするプロセッサを含む。
【００５１】
本発明の規範的実施形態によれば、ＵＥの観点から、図４を参照するに、割り当てられたダウンリンクリソースへ応答を送信することに向けられたアクションを遂行するためにプロセッサにより実行可能なコンピュータプログラムを実施するメモリが提供されると共に、ブロック４０２において、ダウンリンクリソースの割り当てを受け取り、そして（ｌを整数とすれば、データのためのｌ枚のレイヤにおいて）その割り当てられたダウンリンクリソースをデータについて監視し、各々割り当てられて監視されるダウンリンクリソースごとにリソース特有ビットを発生し、ブロック４０４において、その割り当てられたダウンリンクリソースのパターンに基づいて、少なくとも２つの個別の総計の中から選択を行い、各総計は、割り当てられたダウンリンクリソースの少なくとも一部分を総計するものであり（例えば、ダウンリンクリソースを第１モードでバンドリングする第１アルゴリズムと、ダウンリンクリソースを第２モードでバンドリングする第２アルゴリズムとの間で選択を行い）、ブロック４０６において、その選択された総計を使用して応答ビットを発生し（例えば、第１又は第２の各モードに基づいてバンドリングされたダウンリンクリソースに対応する前記発生されたリソース特有ビットに対して前記選択された第１又は第２アルゴリズムを使用して、ｌ個の応答ビットを発生し）、そしてブロック４０８において、その発生された応答ビット（ｌ個の応答ビット）を送信することを含む装置及び方法が提供される。
【００５２】
より特定の実施形態によれば、１つの総計は、全てのダウンリンクリソースに対し単一レイヤにわたるものであり、そして別の総計は、少なくとも２つのレイヤにわたるダウンリンクリソースの一部分のみに対するものである。更に別の特定の実施形態では、応答ビットが第１の応答ビットであり、そして単一レイヤが第１のレイヤであり、各個別の総計は、２つのビットを発生し、前記１つの総計は、少なくとも２つのレイヤの各々にわたりその割り当てられたリソースの全てに対する応答ビットを発生し、そして前記別の総計は、ダウンリンクリソースの異なるサブグループに対して少なくとも２つのレイヤの全てにわたる応答ビットを発生する。
【００５３】
別のより特定の実施形態によれば、少なくとも２つの総計の中から選択を行うことは、２つの総計間で選択を行うことを含み、そしてその選択は、割り当てられたダウンリンクリソースが時間的にどれほど相関しているか指示する変化基準に基づいて行われる。更に別のより特定の実施形態では、変化基準は、割り当てられたダウンリンクリソースが、２つの異なる総計のいずれかにより定義されるバンドリングウインドウ内に少なくとも重畳する又は厳密に同じ物理的リソースブロックを含むかどうかというものである。
【００５４】
別のより特定の実施形態によれば、応答ビットは、割り当てられたリソースにデータが受け取られたという確認又は受け取られないという否定確認であり、そして少なくとも２つの総計の中で選択を行うことは、レイヤ当たりの全ての割り当てられたリソースに対する全ての確認又は否定確認ビットの論理ＡＮＤ演算である第１の総計と、複数のレイヤにわたる割り当てられたリソースのサブグループに対する全ての確認又は否定確認ビットの論理ＡＮＤ演算である第２の総計との間での選択を含む。更に別のより特定の実施形態では、選択された総計は、割り当てられたダウンリンクリソースの異なるバンドリングウインドウに対して２つの確認又は否定確認ビットを発生し、その一方は、レイヤ当たりの全ての割り当てられたダウンリンクリソースであり、そしてその他方は、全てのレイヤにわたる割り当てられたダウンリンクリソースの異なるサブグループである。
【００５５】
ネットワークの観点から、アクションは、上述したシグナリングの鏡像であり、即ちネットワークは、割り当てを送出し、割り当てられたダウンリンクリソースに関するデータを送出し、そしてＵＥから応答ビットを受け取る。ＵＥとは異なり、応答ビットが確認である場合には、ネットワークは、それが以前に割り当てられたダウンリンクリソースに関して送出したデータをいずれも再送出しない。応答が否定確認である場合には、ネットワークは、少なくとも２つの個別の総計の中からダウンリンクリソースの割り当てに基づいて選択を行い、各総計は、割り当てられたダウンリンクリソースの少なくとも一部分を総計するものであり、更に、その選択された総計からバンドリングウインドウ及びレイヤの組み合わせを決定し、そしてそのバンドリング及びレイヤの組み合わせで指示された割り当てられたダウンリンクリソースにおいて以前に送出したデータを再送出する。
【００５６】
更に、これに関してネットワークの観点から、ネットワークは、上述した変化基準のように、総計の一方又は他方を適用すべき転換点を指示するシグナリングをＵＥへ送出することもできる。これは、ＭＭＥ又は他のより上位のネットワークノードによってｅＮＢへ送信され、次いで、ＵＥへシグナリングされ、そして好ましくは、物理的レイヤ（例えば、媒体アクセスコントロールレイヤ）より上位レイヤのシグナリングにおいて行われる。
【００５７】
ネットワークに関連した本発明の態様として、本発明の実施形態は、図示されたプロセッサ１２ＡのようなｅＮＢ１２のデータプロセッサにより実行可能なコンピュータソフトウェアにより、又はハードウェアにより、或いはソフトウェア及びハードウェアの組み合わせにより、具現化される。ネットワークにアクセスするポータブル装置に関連した本発明の態様として、本発明の実施形態は、図示されたプロセッサ１０ＡのようなＵＥ１０のデータプロセッサにより実行可能なコンピュータソフトウェアにより、又はハードウェアにより、或いはソフトウェア及びハードウェアの組み合わせにより、具現化される。更に、これに関しては、種々の論理的ステップの上述した説明は、プログラムステップ、又は相互接続された論理回路、ブロック及び機能を表し、或いはそれらのプログラムステップ、論理回路、ブロック及び機能の組み合わせを表すことに注意されたい。
【００５８】
一般的に、種々の実施形態は、ハードウェア又は特殊目的回路、ソフトウェア（コンピュータ読み取り可能な媒体上に実施されたコンピュータ読み取り可能なインストラクション）、ロジック、又はその組み合わせで具現化することができる。例えば、ある態様は、ハードウェアで具現化され、一方、他の態様は、コントローラ、マイクロプロセッサ又は他のコンピューティング装置により実行されるファームウェア又はソフトウェアで具現化されるが、本発明は、これに限定されない。本発明の種々の態様を、ブロック図、フローチャート、又は他の絵画的表現を使用して、図示して説明したが、ここに述べるこれらのブロック、装置、システム、技術、又は方法は、非限定例として、ハードウェア、ソフトウェア、ファームウェア、特殊目的回路又はロジック、汎用ハードウェア又は又はコントローラ、又は他のコンピューティング装置、或いはその組み合わせで具現化することができる。
【００５９】
本発明の実施形態は、集積回路モジュールのような種々のコンポーネントにおいて具現化される。集積回路の設計は、概して、高度に自動化されたプロセスである。論理レベル設計を、半導体基板上にエッチングされて形成される準備のできた半導体回路へと変換するための複雑で且つパワフルなソフトウェアツールを利用することができる。
【００６０】
例えば、カリフォルニア州マウンテンビューのシノプシス社及びカリフォルニア州サンノセのケイデンスデザイン社により提供されているプログラムは、充分に確立された設計ルール及び事前に記憶された設計モジュールのライブラリーを使用して半導体チップ上に導体を自動的にルーティングしそしてコンポーネントを配置する。半導体回路の設計が完了すると、それにより得られる標準電子フォーマット（例えば、Ｏｐｕｓ、ＧＤＳＩＩ、等）の設計は、製造のために半導体製造工場即ち“ｆａｂ”へ送信される。
【００６１】
当業者であれば、添付図面を参照して以上の説明を読んだときに、種々の変更や応用が明らかであろう。しかしながら、本発明の教示のいかなる及び全ての変更も、本発明の非限定実施形態の範囲内に包含される。
【００６２】
以上、本発明の特定の実施形態を説明したが、これら教示に対する多数の変更や種々の置き換えが当業者に明らかであろう。従って、本発明を１つ以上の実施形態について特に図示して説明したが、上述した本発明の範囲、又は特許請求の範囲から逸脱せずに多数の変更や置き換えがなされ得ることが当業者に理解されよう。
【符号の説明】
【００６３】
９：ワイヤレスネットワーク
１０：ＵＥ
１０Ａ：デジタルプロセッサ（ＤＰ）
１０Ｂ：メモリ（ＭＥＭ）
１０Ｃ：プログラム（ＰＲＯＧ）
１０Ｄ：ＲＦトランシーバ
１０Ｅ：アンテナ
１２：ノードＢ（ｅＮＢ）
１２Ａ：ＤＰ
１２Ｂ：ＭＥＭ
１２Ｃ：ＰＲＯＧ
１２Ｄ：ＲＦトランシーバ
１２Ｅ：アンテナ
１４：ＧＷ／ＭＭＥ／ＲＮＣ
１４Ａ：ＤＰ
１４Ｂ：ＭＥＭ
１４Ｃ：ＰＲＯＧ
２０：ワイヤレスリンク
３０：データ経路
【図２】
0005391275.tif 000004
【図３】
0005391275.tif 000005
【図４】
0005391275.tif 000006
【図１】
0005391275.tif 000007